(57)【要約】【課題】  線のみでなく、図形、文字若しくは記号又はこれらのいずれかと色彩との結合と空白との基本パターンを用いた、モアレによる効果を利用する一層多様な絵柄の印刷物とその作成方法を提供する。【解決手段】  基本絵柄及び縮小絵柄とからなる複合絵柄の印刷物であり、前記縮小絵柄は、線、図形、文字若しくは記号又はこれらのいずれかと色彩との結合と空白とが四角形の一定面積を占めてなる１又は２以上の基本パターンを縮小した１又は２以上の縮小パターンを縮小パターン毎に縦横に繰り返してなり、また前記基本絵柄は前記１又は２以上の基本パターンを基本パターン毎に縦横に繰り返してなる。【選択図】  図１
2006007430.tif 000002
【特許請求の範囲】
【請求項１】
基本絵柄及び縮小絵柄とからなる複合絵柄の印刷物であって、前記縮小絵柄は、線、図形、文字若しくは記号又はこれらのいずれかと色彩との結合と空白とが四角形の一定面積を占めてなる１又は２以上の基本パターンを縮小した１又は２以上の縮小パターンを縮小パターン毎に縦横に繰り返してなり、また前記基本絵柄は前記１又は２以上の基本パターンを基本パターン毎に縦横に繰り返してなる、複合絵柄の印刷物。
【請求項２】
前記１又は２以上の縮小パターンは１又は２以上の基本パターンを同一又は異なる縮小率で縮小してなる、請求項１に記載の印刷物。
【請求項３】
線、図形、文字若しくは記号又はこれらのいずれかと色彩との結合と空白とが四角形の一定面積を占めてなる１又は２以上の基本パターンと、該１または２以上の基本パターン所定の縮小率で縮小した１又は２以上の縮小パターンとを用意すること、
前記１又は２以上の基本パターンの該基本パターン毎に縦横に繰り返してなる基本絵柄と、前記１又は２以上の縮小パターンを該縮小パターン毎に縦横に繰り返してなる縮小絵柄とを同時に又は前後して印刷することを含む、複合絵柄からなる印刷物の作成方法。
【請求項４】
前記一定の面積を有する基本パターンの特定の位置と、前記縮小パターンの特定の位置とを合致させて両パターンを相対的に配置することを含む、請求項３に記載の印刷物の作成方法。
【請求項５】
前記一定の面積を有する基本パターンの特定の位置と、前記縮小パターンの特定の位置とを合致させないで両パターンを相対的に配置することを含む、請求項３に記載の印刷物作成方法。
【請求項６】
前記一定の面積を占める基本パターンの大きさは０．１〜２００ｍｍ平方である、請求項３に記載の印刷物作成方法。
【請求項７】
前記縮小率は５０．１〜９９．９％である、請求項３に記載の方法。
【請求項８】
前記線の幅寸法は０．１〜２００ｍｍである、請求項３に記載の方法。
【発明の詳細な説明】
【技術分野】
【０００１】
本発明は、印刷物及びその作成方法に関し、特に基本パターンの絵柄と縮小パターンの絵柄とを複合させてなる印刷物とその作成方法に関する。
【背景技術】
【０００２】
複数の線又は網点からなる一定の繰り返しパターンが設けられた光透過性のスクリーンを複数枚重ねると、「モアレ」と呼ばれる干渉縞（光の干渉のために生ずる縞模様）が発生することが知られている。このモアレによる効果を利用した技術には、特許文献１〜３等に開示されたものがある。
【特許文献１】特開２００４−２５７４０号公報
【特許文献２】特開昭６０−６４５号公報
【特許文献３】特開平１−１７１９７７号公報
【発明の開示】
【発明が解決しようとする課題】
【０００３】
複数の線分の組合せからなる複数の基本パターンを用いる、例えば特許文献１に記載の従来例では線の組合せによる印刷物に限られるため、多様な絵柄の印刷物を得ようとする試みには制限がある。本発明は、線のみでなく、図形、文字若しくは記号又はこれらのいずれかと色彩との結合と空白とからなる基本パターンを用いた、モアレによる効果を利用する一層多様な絵柄の印刷物とその作成方法を提供する。
【課題を解決するための手段】
【０００４】
本発明は、１又は２以上の基本パターンの絵柄と該基本パターンを縮小した１又は２以上の縮小パターンの絵柄とを複合させてモアレを人為的に生じさせることを基本構想とする。
【０００５】
本発明に係る複合絵柄の印刷物は、基本絵柄及び縮小絵柄とからなり、前記縮小絵柄は線、図形、文字若しくは記号又はこれらのいずれかと色彩との結合と空白とが四角形の一定面積を占めてなる１又は２以上の基本パターンを縮小した１又は２以上の縮小パターンを縮小パターン毎に縦横に繰り返してなり、また前記基本絵柄は前記１又は２以上の基本パターンを基本パターン毎に縦横に繰り返してなる。
【０００６】
また、本発明に係る複合絵柄印刷物の作成方法は、線、図形、文字若しくは記号又はこれらのいずれかと色彩との結合と空白とが四角形の一定面積を占めてなる１又は２以上の基本パターンと、該１または２以上の基本パターン所定の縮小率で縮小した１又は２以上の縮小パターンとを用意すること、前記１又は２以上の基本パターンの該基本パターン毎に縦横に繰り返してなる基本絵柄と、前記１又は２以上の縮小パターンを該縮小パターン毎に縦横に繰り返してなる縮小絵柄とを同時に又は前後して印刷することを含む。
【発明の効果】
【０００７】
本発明によれば、線、図形、文字若しくは記号又はこれらのいずれかと色彩との結合と空白とが四角形の一定面積を占めてなる基本パターンを繰り返した絵柄と縮小パターンを繰り返した絵柄とからなる、意匠的に優れた多様な複合絵柄の印刷物を容易に作成することができる。また、基本パターンと縮小パターンとにより位置のずれを生じさせると共に、濃淡を生じさせることにより容易に立体表現をすることができる。さらに、絵柄の繰り返しが必ず生じることから、印刷に際して基本パターンと縮小パターンとの位置合わせに格別な注意を払わなくてもよい。
【発明を実施するための最良の形態】
【０００８】
図１に示す印刷物は、図２（Ａ）に示す基本パターン１０を縦横に繰り返した基本絵柄と、図２（Ｂ）に示す縮小パターン１２を縦横に繰り返した縮小絵柄とからなる。基本パターン１０は、一定面積の四角形を占めるクロの正方形１０Aと空白１２Bとからなる。また、縮小パターンは、グレイの正方形１２Aと空白１０Ｂとからなる。基本パターン１０のサイズ１００％に対し、縮小パターン１２のサイズは９０％である。
【０００９】
基本パターン１０及び縮小パターン１２は、次のステップを経て用意される。図２に示す基本パターン１０及び縮小パターン１２のそれぞれを２倍の大きさで示す図３を参照するに、まず、クロの正方形１０Aと空白１０Bとからなる第１の基本パターン１０（図３（Ａ））と、グレイの正方形Aと空白Ｂとからなる第２の基本パターン２０（図３（Ｂ））とを用意する。第１の基本パターン１０は図２に示した基本パターン１０として使用し、第２の基本パターン２０はこれを９０％の大きさに縮小して縮小パターン１２として使用する。
【００１０】
次に、図４に示す印刷物は、図５（Ａ）に示す基本パターン４０を縦横に繰り返した基本絵柄と、図５（Ｂ）に示す縮小パターン４２を縦横に繰り返した縮小絵柄とからなる。基本パターン４０は、一定面積の四角形を占めるグレイの太線４０Aと空白４０Bとからなる。また、縮小パターン４２は、クロの太線４２Aと空白４２Ｂとからなる。基本パターン４０のサイズ１００％に対し、縮小パターン４２のサイズは９０％である。上記太線の幅寸法は０．１〜２００ｍｍである。
【００１１】
基本パターン４０及び縮小パターン４２は、次のステップを経て用意される。図５に示す基本パターン４０及び縮小パターン４２をそれぞれ２倍の大きさで示す図６を参照するに、まず、グレイの太線４０Aと空白４０Bとからなる第１の基本パターン４０（図６（Ａ））と、クロの太線Aと空白Ｂとからなる第２の基本パターン５０（図６（Ｂ））とを用意する。第１の基本パターンは図５に示した基本パターン４０として使用し、第２の基本パターン５０はこれを９０％の大きさに縮小して縮小パターン４２として使用する。
【００１２】
次に、図７に示す印刷物は、図８（Ａ）に示す基本パターン７０を縦横に繰り返した基本絵柄と、図８（Ｂ）に示す縮小パターン７２を縦横に繰り返した縮小絵柄とからなる。基本パターン７０は、一定面積の四角形を占めるクロの太斜線７０Aと空白７０Bとからなる。また、縮小パターン７２は、グレイの丸７２Aと空白７２Ｂとからなる。基本パターン７０のサイズ１００％に対し、縮小パターン７２のサイズは９５％である。
【００１３】
基本パターン７０及び縮小パターン７２は、次のステップを経て用意される。図８に示す基本パターン７０及び縮小パターン７２のそれぞれを３倍の大きさで示す図９を参照するに、まず、クロの太斜線７０Aと空白７０Bとからなる第１の基本パターン７０（図９（Ａ））と、グレイの丸Aと空白Ｂとからなる第２の基本パターン８０（図９（Ｂ））とを用意する。第１の基本パターン７０は図８に示した基本パターン７０として使用し、第２の基本パターン８０はこれを９５％の大きさに縮小して縮小パターン７２として使用する。
【００１４】
次に、図１０に示す印刷物は、図１１（Ａ）に示す基本パターン１００を縦横に繰り返した基本絵柄と、図１１（Ｂ）に示す縮小パターン１２０を縦横に繰り返した縮小絵柄と、図１１（Ｃ）に示す縮小パターン１２２を縦横に繰り返した縮小絵柄とからなる。基本パターン１００は、一定面積の四角形を占めるクロの太斜線１００Aと空白１００Bとからなる。また、縮小パターン１２０は、クロの太斜線１２０Aと空白１２０Ｂとからなり、縮小パターン１２２はグレイの丸１２２Ａと空白１２２Ｂとからなる。基本パターン１００のサイズ１００％に対し、縮小パターン１２０，１２２のサイズは９５％である。
【００１５】
基本パターン１００及び縮小パターン１２０，１２２は、次のステップを経て用意される。図１１に示す基本パターン１００及び縮小パターン１２０，１２２のそれぞれを２倍の大きさで示す図１２を参照するに、まず、クロの太斜線１００Ａと空白１００Bとからなる第１の基本パターン１００（図１２（Ａ））と、グレイの丸Aと空白Ｂとからなる第２の基本パターン１３０（図１２（Ｄ））とを用意する。第１の基本パターン１００は図１１に示した基本パターン１００として使用し、第２の基本パターン１３０はこれを９５％の大きさに縮小（縮小率５％）して縮小パターン１２２として使用するほか、第１の基本パターン１００を９５％の大きさに縮小してもう１つの縮小パターン１２０として使用する。
【００１６】
さらに、図１３に示す印刷物は、図１４（Ａ）に示す基本パターン１４０を縦横に繰り返した絵柄と、図１４（Ｂ）に示す縮小パターン１４２を縦横に繰り返した絵柄と、図１４（Ｃ）に示す縮小パターン１４４を縦横に繰り返した絵柄とからなる。基本パターン１４０は、一定面積の四角形を占めるクロの太斜線１４０Aと空白１４０Bとからなる。また、縮小パターン１４２は、グレイの丸１４２Aと空白１４２Ｂとからなり、縮小パターン１４４はグレイの丸１４４Ａと空白１４４Ｂとからなる。基本パターン１４０のサイズ１００％に対し、縮小パターン１４２のサイズは９５％，縮小パターン１４４のサイズは９０％である。
【００１７】
基本パターン１４０及び縮小パターン１４２，１４４は、次のステップを経て用意される。図１４に示す基本パターン１４０及び縮小パターン１４４のそれぞれを２倍の大きさで示す図１５を参照するに、まず、クロの太斜線１４０Ａと空白１４０Bとからなる第１の基本パターン１４０（図１５（Ａ））と、グレイの丸Aと空白Ｂとからなる第２の基本パターン１５０（図１５（Ｂ））とを用意する。第１の基本パターン１４０は図１４（Ａ）に示した基本パターン１４０として使用し、第２の基本パターン１５０はこれを９５％の大きさに縮小して縮小パターン１４２として使用するほか、第２の基本パターン１５０を９０％の大きさに縮小してもう１つの縮小パターン１４４として使用する。
【００１８】
上記の例に代え、例えば、基本パターンの数を１とし、縮小パターンの数も１又は２とし、また基本パターンの数を２とし、縮小パターンの数も２とすることができる。さらに基本パターンの数を３とし、縮小パターンの数を１又は２とし、また基本パターンの数を４とし、縮小パターンの数を１とすることもできる。さらに基本パターンの数を４とし、縮小パターンの数を３とすることもできる。
【００１９】
図１，４，７，１０，１３に例示した印刷物では、線、矩形又は丸の図形を用いた基本パターンの絵柄と縮小パターンの絵柄とを複合させているが、図示の例に限られず、広く、線、図形、文字、記号又はこれらのいずれかと色彩との結合を用いた１又は２以上の基本パターンの絵柄と１又は２以上の縮小パターンの絵柄とを複合させることができる。
【００２０】
また、図１，４，７，１０，１３に示した印刷物において、各基本パターン１０，４０，７０，１００，１４０を縦横に繰り返してなる基本絵柄と、各縮小パターン１２，４２，７２，１２０と１２２，１４２と１４４を縦横に繰り返してなる縮小絵柄とは、製版印刷技術によれば順次に又は前後して印刷され、またコンピュータグラフィクスの技術によれば予めディスプレイ画面上で複合され、印刷は同時に行われる。
【００２１】
その印刷に際して、一定の面積を有する基本パターンの特定の位置又は一定の部位（例えば基本パターンの左上隅）と、縮小パターン１２，４２，７２，１２０と１２２，１４２と１４４の特定の位置又は一定の部位（例えば縮小パターンの左上隅）とを合致させて両パターンを相対的に配置するようにしてもよい。これに代えて、前記基本パターンの特定の位置又は部位と前記縮小パターンの特定の位置又は部位とを合致させることなく両パターンを配置してもよい。
【００２２】
一定の面積を占める基本パターン１０，４０，７０，１００，１４０の大きさは０．１〜２００ｍｍ平方であることが好ましい。また、前記基本パターンから縮小パターンを作成する際に用いる縮小率は５０．１〜９９．９％であることが好ましい。
【図面の簡単な説明】
【００２３】
【図１】本発明により作成された印刷物の１例を示す平面図。
【図２】第１図に示した印刷物を構成する基本パターン及び縮小パターンを示す図。
【図３】第２図に示した基本パターン及び縮小パターンの作成過程を示す拡大図。
【図４】本発明により作成された印刷物の他の１例を示す平面図。
【図５】第４図に示した印刷物を構成する基本パターン及び縮小パターンを示す図。
【図６】第５に示した基本パターン及び縮小パターンの作成過程を示す拡大図。
【図７】本発明により作成された印刷物のさらに他の１例を示す平面図。
【図８】第７図に示した印刷物を構成する基本パターン及び縮小パターンを示す図。
【図９】第８図に示した基本パターン及び縮小パターンの作成過程を示す拡大図。
【図１０】本発明により作成された印刷物のさらに他の１例を示す平面図。
【図１１】第１０図に示した印刷物を構成する基本パターン及び縮小パターンを示す図。
【図１２】第１１図に示した基本パターン及び縮小パターンの作成過程を示す拡大図。
【図１３】本発明により作成された印刷物のさらに他の１例を示す平面図。
【図１４】第１３に示した印刷物を構成する基本パターン及び縮小パターンを示す図。
【図１５】第１４図に示した基本パターン及び縮小パターンの作成過程を示す拡大図。
【符号の説明】
【００２４】
１０，４０，７０，１００，１４０  基本パターン
２０，５０，８０，１５０  基本パターン
１２，４２，７２，１２０，１２２，１４２，１４４  縮小パターン
１０Ａ  （基本パターンの）クロの正方形
１０Ｂ  （基本パターンの）空白
【図１】
2006007430.tif 000003
【図２】
2006007430.tif 000004
【図３】
2006007430.tif 000005
【図４】
2006007430.tif 000006
【図５】
2006007430.tif 000007
【図６】
2006007430.tif 000008
【図７】
2006007430.tif 000009
【図８】
2006007430.tif 000010
【図９】
2006007430.tif 000011
【図１０】
2006007430.tif 000012
【図１１】
2006007430.tif 000013
【図１２】
2006007430.tif 000014
【図１３】
2006007430.tif 000015
【図１４】
2006007430.tif 000016
【図１５】
2006007430.tif 000017